(57)【要約】【課題】不用意な開封を防止するジッパーテープ付袋体を提供する。【解決手段】雄側帯状基部２１Ａの幅方向における開口部１８側となる係合部２３の基端に屈曲部２１Ｃを設け、雄側帯状基部２１Ａおよび雌側帯状基部２２Ａの幅方向の開口部１８側を、袋本体１０の内面にヒートシールする。袋本体１０の開口部１８の縁を摘んで開口部１８を広げるように開封する通常の開封方法では、屈曲部２１Ｃの位置で雄側帯状基部２１Ａが屈曲し、雄側帯状基部２１Ａと雌側帯状基部２２Ａとを剪断させる方向に引っ張り力が作用し、第一雄側爪２１Ｂ１および第一雌側爪２２Ｂ１が強く噛合して、係合部２３の係合が解除されることを防止できる。【選択図】図５
2017061337.tif 000002
【特許請求の範囲】
【請求項１】
被包装物を収納可能な収納空間を有する袋本体と、
前記袋本体の内面に接合されたジッパーテープと、を具備し、
前記ジッパーテープは、
一対の雄側鉤部および雌側鉤部が互いに係合可能な係合部と、前記係合部にそれぞれ連設する一対の帯状基部とを備え、
前記雄側鉤部または前記雌側鉤部を有する帯状基部の一方には、前記帯状基部の幅方向における前記収納空間とは反対側の前記係合部の基端に位置して、屈曲部が設けられ、
前記一対の帯状基部は、それぞれ前記袋本体に接合されている
ことを特徴とするジッパーテープ付袋体。
【請求項２】
請求項１に記載のジッパーテープ付袋体において、
前記屈曲部が設けられた帯状基部は、幅方向における前記係合部が設けられた位置よりも、前記収納空間側がさらに前記袋本体に接合されている
ことを特徴とするジッパーテープ付袋体。
【請求項３】
請求項１または請求項２に記載のジッパーテープ付袋体において、
前記屈曲部は、当該屈曲部が設けられた帯状基部の厚さより薄肉に形成されている
ことを特徴とするジッパーテープ付袋体。
【請求項４】
請求項３に記載のジッパーテープ付袋体において、
前記屈曲部は、前記袋本体の内面から離間されている
ことを特徴とするジッパーテープ付袋体。
【請求項５】
請求項１から請求項４までのいずれか一項に記載のジッパーテープ付袋体において、
前記屈曲部は、破線状に連なる複数の孔または凹部である
ことを特徴とするジッパーテープ付袋体。
【請求項６】
請求項１から請求項５までのいずれか一項に記載のジッパーテープ付袋体において、
前記屈曲部は、前記雄側鉤部が設けられた帯状基部に設けられている
ことを特徴とするジッパーテープ付袋体。
【請求項７】
請求項１から請求項６までのいずれか一項に記載のジッパーテープ付袋体において、
前記雄側鉤部は、前記収納空間側に突出する第一雄側爪と、前記第一雄側爪とは反対側に突出する第二雄側爪と、を有し、
前記雌側鉤部は、前記第一雄側爪が係合可能な第一雌側爪と、前記第二雄側爪が係合可能な第二雌側爪と、を有し、
前記第一雄側爪は、前記雄側鉤部が設けられた帯状基部に対向する斜面を有し、前記斜面の接線と、前記雄側鉤部が設けられた帯状基部の垂線とのなす角αが９０°より小さい角度に形成され、
前記第二雄側爪は、前記雄側鉤部が設けられた帯状基部に対向する斜面を有し、前記斜面の接線と、前記雄側鉤部が設けられた帯状基部の垂線とのなす角βが９０°より大きい角度に形成されている
ことを特徴とするジッパーテープ付袋体。
【請求項８】
請求項１から請求項７までのいずれか一項に記載のジッパーテープ付袋体において、
前記ジッパーテープは、前記係合部を複数対有している
ことを特徴とするジッパーテープ付袋体。
【請求項９】
請求項１から請求項８までのいずれか一項に記載のジッパーテープ付袋体において、
前記袋本体の外面には、前記一対の帯状基部のうち前記屈曲部が設けられていない帯状基部が前記袋本体に取り付けられた位置に対して、前記収納空間側に位置して把持部が設けられている
ことを特徴とするジッパーテープ付袋体。
【発明の詳細な説明】
【技術分野】
【０００１】
本発明は、ジッパーテープ付袋体に関する。
【背景技術】
【０００２】
近年、被包装物を収納する袋体を開封した後、再封止可能としたジッパーテープ付袋体が広く利用されている。このようなジッパーテープ付袋体として、開封を補助する摘みを有した構成が知られている（例えば、特許文献１参照）。
特許文献１に記載のジッパーテープ付袋体は、被包装物を収納する収納空間を内部に有した袋本体を備え、この袋本体の開封された開口縁の内側に、係脱可能で開口を再封止するジッパーテープが設けられている。そして、袋本体の外面には、開口縁近傍に位置して舌片状に設けられた開封補助摘みが設けられている。そして、この開封補助摘みを持って開口縁を引っ張ることで、ジッパーテープの係合が解除され、袋本体が開封される構成が採られている。
【先行技術文献】
【特許文献】
【０００３】
【特許文献１】特開２０１１−１４０３２６号公報
【発明の概要】
【発明が解決しようとする課題】
【０００４】
ところで、被包装物の内容によっては、幼児や子供の手の届かない場所に保管することが好ましい。しかしながら、誤って幼児や子供の手が触れることがある。従来の開封を容易とする開封補助摘みを備えた構成では、幼児や子供でも容易に開封できてしまう不都合がある。
本発明は、不用意な開封を防止するジッパーテープ付袋体を提供することを目的とする。
【課題を解決するための手段】
【０００５】
本発明のジッパーテープ付袋体は、被包装物を収納可能な収納空間を有する袋本体と、前記袋本体の内面に接合されたジッパーテープと、を具備し、前記ジッパーテープは、一対の雄側鉤部および雌側鉤部が互いに係合可能な係合部と、前記係合部にそれぞれ連設する一対の帯状基部とを備え、前記雄側鉤部または前記雌側鉤部を有する帯状基部の一方には、前記帯状基部の幅方向における前記収納空間とは反対側の前記係合部の基端に位置して、屈曲部が設けられ、前記一対の帯状基部は、それぞれ前記袋本体に接合されていることを特徴とする。
【０００６】
この発明では、袋本体の開口部の縁を摘んで開口部を広げるように開封する通常の開封方法では、屈曲部の位置で帯状基部が屈曲するので、一対の帯状基部に沿って一対の帯状基部を剪断させる方向に開封力が作用することとなり、雄側鉤部および雌側鉤部が強く係合して、開封が抑制される。
一方、例えば、屈曲部が設けられていない帯状基部が設けた袋本体の外面（帯状基部より収納空間側）と、屈曲部が設けられた帯状基部が設けた袋本体の開口部の縁とを摘んで袋本体を広げるように引っ張ると、あるいは、袋本体の外面における帯状基部より収納空間側と帯状基部より開口部側とを互いに離間する方向に、指でスライドさせると、一対の帯状基部が離間して雄側鉤部および雌側鉤部の係合を解除するように開封力が作用し、容易に開封できる。
したがって、開封するためには特別な開封作業が必要となり、誤開封を防止できる。
【０００７】
ここで、袋本体としては、例えば、一枚のフィルムを折り曲げて製造される構成、二枚のフィルムを重ね合わせて製造される構成、もしくは二枚以上のフィルムを用いて側面にマチを設けたガゼット袋やスタンディング袋など、種々形態のものが適用できる。
そして、帯状基部の袋本体との接合としては、ヒートシールの他、超音波による溶着、接着剤などを用いた接着など、帯状基部を袋本体に取り付ける各種方法を利用できる。
また、屈曲部としては、例えば他の部分に比べて薄肉、欠落、破線状に孔を連ねたいわゆるミシン目である目打ち、破線状に凹部を連ねたものなどの他、他の部分より柔らかい部材にて形成したり、蛇腹形状など、その部分で帯状基部が屈曲しやすい構成である。
【０００８】
そして、本発明では、前記屈曲部が設けられた帯状基部は、幅方向における前記係合部が設けられた位置よりも、前記収納空間側がさらに前記袋本体に接合されている構成とすることもできる。
この発明では、例えば、開口され縁を摘んで無理に開封しようと大きな開封力を作用させると、屈曲部に大きな開封力が作用することとなる。このため、大きな開封力により屈曲部が切断されることで、開封された形跡を容易に判明できる。
【０００９】
また、本発明では、前記屈曲部は、当該屈曲部が設けられた帯状基部の厚さより薄肉に形成されている構成とすることもできる。
この発明では、屈曲部を薄肉とする簡単な構造で、屈曲部の位置で屈曲する構成が得られる。
【００１０】
さらに、本発明では、前記屈曲部は、前記袋本体の内面から離間されている構成とすることもできる。
この発明では、袋本体の内面から屈曲部を離間する構成とすることで、袋本体の内面に沿ってジッパーテープが融着されていない空隙部分が存在するため、この空隙部分に接する袋本体が屈曲しやすくなり、それに伴って、屈曲部も同時に屈曲する。したがって、屈曲部の位置でより小さい力で袋本体とともに屈曲することが可能となる。
【００１１】
また、本発明では、前記屈曲部は、破線状に連なる複数の孔または凹部である構成とすることもできる。
この発明では、屈曲部を破線状に連なる複数の孔または凹部とする簡単な構造で、屈曲部の位置で屈曲する構成が得られる。
【００１２】
そして、本発明では、前記屈曲部は、前記雄側鉤部が設けられた帯状基部に設けられている構成とすることもできる。
ここで、雌側鉤部が設けられた帯状基部に屈曲部を設けた場合、雄側鉤部が設けられた帯状基部に設けた場合と逆側にせん断力が働く。このため、開封できるようにするためには、第一雄側爪の掛かりを少なくする必要がある。そうすると内圧に対して弱くなるため、屈曲部は雄側に設けることが好ましい。
【００１３】
また、本発明では、前記雄側鉤部は、前記収納空間側に突出する第一雄側爪と、前記第一雄側爪とは反対側に突出する第二雄側爪と、を有し、前記雌側鉤部は、前記第一雄側爪が係合可能な第一雌側爪と、前記第二雄側爪が係合可能な第二雌側爪と、を有し、前記第一雄側爪は、前記雄側鉤部が設けられた帯状基部に対向する斜面を有し、前記斜面の接線と、前記雄側鉤部が設けられた帯状基部の垂線とのなす角αが９０°より小さい角度に形成され、前記第二雄側爪は、前記雄側鉤部が設けられた帯状基部に対向する斜面を有し、前記斜面の接線と、前記雄側鉤部が設けられた帯状基部の垂線とのなす角βが９０°より大きい角度に形成されている構成とすることもできる。
この発明では、収納空間側に突出する第一雄側爪は断面鉤形状に突出し、第一雄側爪とは反対側に突出する第二雄側爪は断面山形状に突出する形状とすることができる。このため、開封された袋本体の縁を開く通常の開封する方法には、一対の帯状基部を剪断させる方向に開封力が作用し、第一雄側爪と第一雌側爪とが強く係合し、誤開封を防止できる。一方、屈曲部が設けられていない帯状基部が設けた袋本体の外面（帯状基部より収納空間側）と、屈曲部が設けられた帯状基部が設けた袋本体の開口部の縁とを摘んで袋本体を広げるように引っ張ると、第二雄側爪および第二雌側爪は互いに離れて係合が外れる状態となり、容易に係合解除ができる。
【００１４】
さらに、本発明では、前記ジッパーテープは、前記係合部を複数対有している構成とすることもできる。
この発明では、係合部を複数対設けることもできる。このことにより、係合力が増大し、より誤開封を防止できるとともに、封止性を向上できる。
ここで、複数対の係合部は、同一形状に限られるものではない。
【００１５】
また、本発明では、前記袋本体の外面には、前記一対の帯状基部のうち前記屈曲部が設けられていない帯状基部が前記袋本体に取り付けられた位置に対して、前記収納空間側に位置して把持部が設けられている構成とすることもできる。
この発明では、屈曲部が設けられた帯状基部が接合された袋本体の開口された縁と、把持部とを持って袋本体を引っ張ることで、雄側鉤部および雌側鉤部の係合を解除するように開封力が作用する。このため、把持部を持って引っ張る簡単な作業で、容易に開封できる。
【図面の簡単な説明】
【００１６】
【図１】本発明の第一実施形態に係るジッパーテープ付袋体の正面図。
【図２】前記ジッパーテープ付袋体の断面図。
【図３】前記ジッパーテープ付袋体の要部断面図。
【図４】前記ジッパーテープ付袋を製造する製造装置の概略構成図。
【図５】前記ジッパーテープ付袋の開封を防止する状態を説明する要部断面図。
【図６】前記ジッパーテープ付袋を開封する動作を説明する要部断面図で、（Ａ）は開封力を作用させた状態、（Ｂ）は開封された状態。
【図７】本発明の第二実施形態に係るジッパーテープ付袋体を示す開封後の要部断面図。
【図８】前記ジッパーテープ付袋の開封を防止する状態を説明する要部断面図。
【図９】前記ジッパーテープ付袋を開封する動作を説明する要部断面図で、（Ａ）は開封力を作用させた状態、（Ｂ）は開封された状態。
【図１０】本発明の第三実施形態に係るジッパーテープ付袋体を示す平面図。
【図１１】前記ジッパーテープ付袋体の断面図。
【図１２】前記ジッパーテープ付袋を製造する製造装置におけるジッパーテープ付袋体の把持部を形成する状況を示す説明図。
【図１３】前記ジッパーテープ付袋を開封する動作を説明する要部断面図で、（Ａ）は開封力を作用させた状態、（Ｂ）は開封された状態。
【図１４】本発明のさらに他の実施形態に係る前記ジッパーテープ付袋体の要部断面図。
【図１５】本発明のさらに他の実施形態に係る前記ジッパーテープ付袋体の要部断面図。
【発明を実施するための形態】
【００１７】
以下、本発明の実施形態を図面に基づいて説明する。
ここで、各実施形態の説明において、同一構成要素は同一符号を付して説明を省略もしくは簡略にする。なお、本発明のジッパーテープおよびジッパーテープ付袋体は、下記の実施形態に限定されるものではない。
【００１８】
［第一実施形態］
図１〜３には、第一実施形態のジッパーテープ付袋体が示されている。
第一実施形態では、ジッパーテープ付袋体として、食品、薬品、医療品、文具、雑貨などの各種物品を包装する袋体を例示するが、用途はこれらに限定されるものではない。
【００１９】
｛ジッパーテープ付袋体の構成｝
図１には、ジッパーテープ付袋体１の正面が示されている。図２には、ジッパーテープ付袋体１の断面が示されている。図３には、ジッパーテープ付袋体１のジッパーテープ近傍の要部断面が示されている。なお、図１〜３は、説明の都合上、ジッパーテープを誇張して記載する。
図１において、ジッパーテープ付袋体１は、平面視で矩形状とされ被包装物を収納可能な袋本体１０と、袋本体１０の内面に、接合である取り付け例えばヒートシールされたジッパーテープ２０と、を備えている。
【００２０】
（袋本体の構成）
袋本体１０は、フィルムである基材フィルム１１Ａ，１１Ｂ（図１では、１１Ａのみ示す）が重ね合わされ、重なり合う両縁に、折り線により内方に織り込まれたガゼットとしての一対の側面部１０Ａを有している。さらに、袋本体１０は、重なり合う底部に、折り線により内方に織り込まれた底面部１０Ｂを有している。
袋本体１０は、基材フィルム１１Ａ，１１Ｂと側面部１０Ａとの重なり合う両縁に、それぞれ対をなすサイドシール部１２が形成されている。基材フィルム１１Ａ，１１Ｂと底面部１０Ｂとの重なり合う両縁に、それぞれボトムシール部１３が形成されている。重ね合わされた基材フィルム１１Ａ，１１Ｂのサイドシール部１２とは直交する端縁部で、ボトムシール部１３とは反対側の端縁に、トップシール部１４が形成されている。
そして、袋本体１０は、サイドシール部１２、ボトムシール部１３およびトップシール部１４により、内部に被包装物Ｐ（図２参照）が収納される収納空間１０Ｃが区画形成される。
【００２１】
この袋本体１０の対向する基材フィルム１１Ａ，１１Ｂに、ジッパーテープ２０が取り付けられている。
なお、袋本体１０のサイドシール部１２のうち、ジッパーテープ２０の長手方向の両端は、平坦化された図示しないポイントシール部とされている。
【００２２】
トップシール部１４には、孔状の持ち手１４Ａが２つ設けられている。
持ち手１４Ａは、基材フィルム１１Ａ，１１Ｂに形成された平面長円状の孔部である。なお、孔部の形状は平面長円状に限定されるものではなく、平面円形、平面矩形状、平面三角形状などであってもよく、孔の数も１以上で好適に把持することができる。また、持ち手１４Ａとしては、紐状の別部材を取り付けて把持可能とした構成など、各種形状のものを適用できる。なお、持ち手を設けない構成としてもよい。
【００２３】
また、袋本体１０には、ジッパーテープ２０の長手方向の両端と、袋本体１０のサイドシール部１２の周縁とが交差する位置と、トップシール部１４とサイドシール部１２の周縁とが交差する位置との間に、ノッチ１７が切り込み形成されている。
【００２４】
基材フィルム１１Ａ，１１Ｂとしては、例えば、（直鎖状）低密度ポリエチレン（Linear Low Density Polyethylene：ＬＬＤＰＥ）、ポリプロピレン（Polypropylene：ＰＰ）などの熱可塑性樹脂にて形成された単層または多層のフィルムを利用できる。多層のフィルムとしては、表基材に、二軸延伸したポリプロピレン（Oriented Polypropylene：ＯＰＰ）、二軸延伸ポリエチレンテレフタレート（ＯＰＥＴ）、二軸延伸ナイロン（ＯＮｙ）、キャストポリプロピレン（Cast Polypropylene：ＣＰＰ）などを用いることができる。なお、多層フィルムとして、いわゆるガスバリアーや遮光などの目的で、アルミニウム蒸着やアルミニウム箔の積層など、無機系の層を備えた構成としてもよい。
また、基材フィルム１１Ａ，１１Ｂは、包装袋用材料であれば特に限定されないが、例えば厚み寸法が１０μｍ以上２００μｍ以下であることが好ましい。厚み寸法が１０μｍ未満であると、シール強度、袋強度が弱くなる場合がある。一方、厚み寸法が２００μｍを超えると、屈曲部が屈曲しないため、袋の開封がしにくくなる場合がある。
【００２５】
（ジッパーテープの構成）
ジッパーテープ２０の要部断面が図２，３に示されている。
図２および図３に示される通り、ジッパーテープ２０は、互いに係脱可能とされた雄部材２１と、雌部材２２とを備えている。
雄部材２１と雌部材２２とは、基材フィルム１１Ａ、１１Ｂの対向する内面にそれぞれヒートシールや接着などの適宜な方法で接合されている。
【００２６】
雄部材２１は、袋本体１０の内面に接合、例えばヒートシールされる帯状基部である雄側帯状基部２１Ａと、雄側帯状基部２１Ａに連続する雄側鉤部としての雄部２１Ｂと、を有する。雄部２１Ｂは、雄側帯状基部２１Ａの長手方向（図２の紙面貫通方向）に沿って形成されている。なお、図２において、雄側帯状基部２１Ａが袋本体１０にヒートシールされた位置を、太線で示す。
また、雄側帯状基部２１Ａには、係合部２３の基端となる雄部２１Ｂの基端で、当該雄側帯状基部２１Ａの幅方向における収納空間１０Ｃとは反対側に位置して、屈曲部２１Ｃが設けられている。この屈曲部２１Ｃは、雄側帯状基部２１Ａの両面から厚さ方向で段差状となるように、係合部２３に沿って凹溝状に設けられている。
なお、屈曲部２１Ｃは、凹溝状に一連に形成される場合に限らず、破線状に孔や凹部が連なるように設けられていてもよい。さらには、例えば、断面Ｖ溝状に欠落した形状としたり、他の部分より柔らかい部材にて形成したり、蛇腹形状に形成したりするなど、その部分で雄側帯状基部２１Ａが屈曲しやすい構成であればよい。
【００２７】
そして、雄部２１Ｂは、収納空間１０Ｃ側に突出する第一雄側爪２１Ｂ１と、この第一雄側爪２１Ｂ１とは反対側に突出する第二雄側爪２１Ｂ２と、を有している。
第一雄側爪２１Ｂ１は、雄側帯状基部２１Ａに対向する収納側斜面２１Ｂ３を有し、この収納側斜面２１Ｂ３の接線２１Ｂ４と、雄側帯状基部２１Ａの垂線２１Ｂ５とのなす角αが、９０°より小さい角度の断面鉤形状に形成されている。
一方、第二雄側爪２１Ｂ２は、雄側帯状基部２１Ａに対向する開口側斜面２１Ｂ６を有し、開口側斜面２１Ｂ６の接線２１Ｂ７と、雄側帯状基部２１Ａの垂線２１Ｂ５とのなす角βが、９０°より大きい角度の断面山形状に形成されている。
ここで、接線２１Ｂ４は、収納側斜面２１Ｂ３が平面であればその平面の接線であり、湾曲する面であれば、変曲点Ｓを通る接線である。接線２１Ｂ７についても同様である。
【００２８】
雌部材２２は、袋本体１０の内面に接合、例えばヒートシールされる帯状基部である雌側帯状基部２２Ａと、雌側帯状基部２２Ａから突出して設けられ、雄部２１Ｂと係脱可能な雌側鉤部としての雌部２２Ｂと、を有する。雌部２２Ｂは、雌側帯状基部２２Ａの長手方向（図２の紙面貫通方向）に沿って形成されている。なお、図２において、雌側帯状基部２２Ａが袋本体１０にヒートシールされた位置も同様に、太線で示す。
雌部２２Ｂは、第一雄側爪２１Ｂ１が係合可能な第一雌側爪２２Ｂ１と、第二雄側爪２１Ｂ２が係合可能な第二雌側爪２２Ｂ２と、が対向するように形成されている。
そして、ジッパーテープ２０は、雄部２１Ｂと雌部２２Ｂとにより、本発明の係合部２３が構成される。
【００２９】
このようなジッパーテープ２０は、例えばポリオレフィン系樹脂を用いて形成されている。なお、ジッパーテープ２０は、長手方向に対して折り曲げることで、その状態を保持する形状保形性を有するように形成してもよい。
ポリオレフィン系樹脂としては、例えば、低密度ポリエチレンまたは直鎖状低密度ポリエチレンなどのポリエチレン系樹脂、ポリプロピレン系樹脂が好ましい。ポリプロピレン系樹脂としては、ホモポリプロピレン（Ｈ−ＰＰ）、ブロックポリプロピレン（Ｂ−ＰＰ）、ランダムポリプロピレン（Ｒ−ＰＰ）、プロピレン−エチレン−ブテン１ランダム三元共重合体などが利用できる。
【００３０】
そして、ジッパーテープ付袋体１は、ボトムシール部１３が設けられたジッパーテープ付袋１Ａ（図４参照）が製造され、このジッパーテープ付袋１Ａの開口する図示しない投入口から被包装物Ｐが投入される。この後、投入口が封止されることで、被包装物Ｐを収納したジッパーテープ付袋体１が得られる。
【００３１】
｛ジッパーテープ付袋体の製造｝
次に、第一実施形態のジッパーテープ付袋体１を製造する動作として、被包装物Ｐを収納する前のジッパーテープ付袋を製造する動作について、図面を参照して説明する。なお、ジッパーテープ付袋を製造するには、種々の方法を採用することができる。
図４には、ジッパーテープ付袋を製造する製造装置の概略構成図が示されている。
【００３２】
（製造装置）
図４に示す製造装置５は、いわゆる三方製袋機を基本構成とするもので、雄部材２１および雌部材２２を、基材フィルム１１Ａ、１１Ｂにそれぞれ接合し、ジッパーテープ付袋１Ａを製袋するものである。
製造装置５は、基材フィルム１１Ａ、１１Ｂを送り出すフィルム供給部５１と、雄部２１Ｂおよび雌部２２Ｂが係合されたジッパーテープ２０を送り出すテープ部材供給機構である一対のテープ供給部５２と、雄部材２１および雌部材２２を基材フィルム１１Ａ，１１Ｂにそれぞれヒートシールし、袋本体１０を製袋してジッパーテープ付袋１Ａを形成させる製袋部５４と、などを備えている。
【００３３】
フィルム供給部５１は、フィルム１１を巻回したフィルム巻取ロール１１１が着脱可能に装着され、フィルム１１を図示しない切断刃などにて基材フィルム１１Ａ，１１Ｂに切断し、得られた基材フィルム１１Ａ，１１Ｂを送り出す。
なお、基材フィルム１１Ａ，１１Ｂの送り出しは、例えば連続的に一定速度で送り出す構成に限らず、間欠的に送り出す構成とするなど、いずれの送出方法を適用できる。
【００３４】
テープ供給部５２は、ジッパーテープ２０を巻回したテープ巻取ロール５２１を着脱可能に装着し、ジッパーテープ２０を送り出す。送り出されたジッパーテープ２０は、基材フィルム１１Ａ，１１Ｂが送り出される方向に対して側方からそれぞれ供給させ、ローラなどを用いて、所定位置で基材フィルム１１Ａ，１１Ｂが送り出される方向に曲げられ、基材フィルム１１Ａ，１１Ｂの間に送り出される。
ジッパーテープ２０の送り出しは、例えば連続的に一定速度で送り出す構成に限らず、間欠的に送り出す構成とするなど、いずれの送出方法を適用できる。
【００３５】
製袋部５４は、テープ供給部５２から送り出されたジッパーテープ２０の雄部材２１および雌部材２２を、基材フィルム１１Ａ，１１Ｂにそれぞれヒートシールする一対のシールバー５４１と、重なり合う基材フィルム１１Ａ，１１Ｂに底面部１０Ｂを設ける図示しないボトム形成部と、重なり合う基材フィルム１１Ａ，１１Ｂに側面部１０Ａを設ける図示しない側面形成部と、ジッパーテープ付袋１Ａを切り出す第一切断部５４５および第二切断部５４６と、などを備えている。
【００３６】
ボトム形成部は、基材フィルム１１Ａ，１１Ｂに底面部１０Ｂをヒートシールしてボトムシール部１３を形成するボトムシールバー５４３を備えている。
側面形成部は、基材フィルム１１Ａ，１１Ｂに側面部１０Ａをヒートシールし、サイドシール部１２を形成するサイドシールバー５４４を備えている。
【００３７】
なお、基材フィルム１１Ａ，１１Ｂと、雄部材２１および雌部材２２との接合は、ヒートシールに限らず、超音波による溶着、接着剤などを用いた接着など、各種方法を利用できる。
そして、製造装置５の次工程として、形成されたジッパーテープ付袋１Ａに被包装物Ｐを充填する充填装置（図示せず）が備えられている。
【００３８】
（ジッパーテープ付袋体の製造方法）
次に、ジッパーテープ付袋体１の被包装物Ｐを収納する前のジッパーテープ付袋１Ａを、上記製造装置５を用いて製造する製造方法について、図面を参照して説明する。
【００３９】
ジッパーテープ付袋１Ａの製造方法は、例えば図４に示す三方製袋する製造装置５を用いて製造され、フィルム１１を供給するフィルム供給工程と、ジッパーテープ２０を供給するテープ供給工程と、雄部材２１と雌部材２２とを、基材フィルム１１Ａ，１１Ｂにそれぞれヒートシールする取付工程と、基材フィルム１１Ａ，１１Ｂからジッパーテープ付袋１Ａを形成させる製袋工程と、などを実施する。
【００４０】
まず、フィルム１１を巻回したフィルム巻取ロール１１１をフィルム供給部５１に装着しておく。
また、雌部材２２と、雄部材２１とを、それぞれ押出成形などによって成形しておく。そして、雌部材２２の雌部２２Ｂと、雄部材２１の雄部２１Ｂとが係合され、一体のジッパーテープ２０としてテープ巻取ロール５２１に巻回し、テープ巻取ロール５２１をテープ供給部５２に装着しておく。
【００４１】
そして、フィルム供給工程では、フィルム巻取ロール１１１から供給されるフィルム１１を、切断刃などにより、フィルム１１の送り出し方向に対して、交差する方向で二等分するようにフィルム１１を切断する。この切断により、基材フィルム１１Ａ，１１Ｂが切り出され、下流側に送り出される。
【００４２】
また、テープ供給工程では、フィルム供給工程で二枚に重ね合わされて送り出された基材フィルム１１Ａ，１１Ｂ間に、テープ巻取ロール５２１から引き出されたジッパーテープ２０を送り出す。
取付工程では、雄部材２１および雌部材２２の幅方向の両端部分を、シールバー５４１により、一方の基材フィルム１１Ａ，１１Ｂにそれぞれ接合、すなわちヒートシールする。
製袋工程では、取付工程で雄部材２１および雌部材２２が取り付けられた基材フィルム１１Ａ，１１Ｂに、ボトムシールバー５４３によりボトムシール部１３を形成して底面部１０Ｂを設けた後、サイドシールバー５４４によりサイドシール部１２を形成して一対の側面部１０Ａをそれぞれ設け、ジッパーテープ２０が取り付けられたガゼット形状の袋本体１０を製袋し、ジッパーテープ付袋１Ａが製造される。
そして、得られたジッパーテープ付袋１Ａは、次工程の充填工程により、開口する図示しない投入口から被包装物Ｐが投入された後、投入口の縁に、トップシール部１４および持ち手１４Ａが設けられて投入口が封止される。この充填工程により、被包装物Ｐを収納したジッパーテープ付袋体１が得られる。
【００４３】
｛ジッパーテープ付袋体の使用｝
次に、上記ジッパーテープ付袋体１の使用状況を説明する。
図５には、開口された縁を持って開封する際の誤開封防止の状況を示す要部断面が示されている。図６には、開口された縁と袋本体の外面とを持って開封する際の開封状況を示す要部断面が示され、（Ａ）は開封力を作用させた状態、（Ｂ）は係合部の係合が解除された状態である。
【００４４】
まず、使用者がジッパーテープ付袋体１から被包装物を最初に取り出すにあっては、図５に示すように、ノッチ１７から基材フィルム１１Ａ，１１Ｂを引き裂いて、トップシール部１４側を切除することで開口部１８が形成されて開封される。
ここで、子供が興味本位で開封したり、改竄目的などで開封したりする場合など、通常の開口部１８の対向する縁を持って、開口部１８を広げて係合部２３の係合を解除しようとした場合、誤開封が防止される。具体的には、図５に示すように、雄側帯状基部２１Ａに設けられた屈曲部２１Ｃが折れ曲がるように開口部１８が広げられ、図５中の矢印で示す方向に引っ張り力が作用する。このため、開封のための引っ張り力は、雄側帯状基部２１Ａと雌側帯状基部２２Ａとの平面に沿って、雄側帯状基部２１Ａと雌側帯状基部２２Ａとを剪断させる方向に力が作用する。したがって、断面鉤形状の第一雄側爪２１Ｂ１と第一雌側爪２２Ｂ１とが互いに噛み合う状態となり、第一雄側爪２１Ｂ１と第一雌側爪２２Ｂ１とが強く係合し、誤開封や改竄のための開封が防止される。
このように、化粧品や薬品など、あるいは細かい部品など、幼児や子供から遠ざけておきたい物などが誤開封されて取り出されてしまったり、改竄を目的として開封されてしまったりすること防止できる。
【００４５】
一方、袋本体１０に予め収納された被包装物Ｐの利用者が被包装物Ｐを取り出すため、あるいは、袋本体１０に被包装物Ｐを新たに収納するため、係合部２３の係合を解除する場合には、特異な開封方法が実施される。すなわち、屈曲部２１Ｃを有しない雌側帯状基部２２Ａがヒートシールされた袋本体１０の外面、具体的には雌側帯状基部２２Ａより収納空間１０Ｃ側の外面と、屈曲部２１Ｃを有する雄側帯状基部２１Ａがヒートシールされた袋本体１０の開口部１８の縁とを摘んで、袋本体１０を広げるように引っ張る。なお、摘む位置としては、例えば袋本体１０に印刷などにより示されていると、利用者は開封作業が容易となる。
この袋本体１０を広げる引っ張り力は、図６（Ａ）中の矢印に示すように作用し、第二雄側爪２１Ｂ２と第二雌側爪２２Ｂ２とが引っ掛かり合う状態となる。この図６（Ａ）に示す状態では、第二雄側爪２１Ｂ２が断面山形状のため、引っ張り力は第二雄側爪２１Ｂ２が第二雌側爪２２Ｂ２を乗り越えるように作用し、比較的に小さい力で係合部２３の係合を解除できる。
なお、袋本体１０の外面、すなわち、雌側帯状基部２２Ａより収納空間１０Ｃ側の外面と、雄側帯状基部２１Ａより開口部１８側の外面とを、互いに離間する方向に、指でスライドさせても、同様に開封できる。
そして、被包装物Ｐを取り出しあるいは収納した後は、再び雄部２１Ｂおよび雌部２２Ｂを係合させることで、袋本体１０は再封止される。
【００４６】
｛第一実施形態の効果｝
上述したように、上記第一実施形態では、雄側帯状基部２１Ａの幅方向における係合部２３の基端の開口部１８側に、屈曲部２１Ｃを設ける。そして、雄側帯状基部２１Ａおよび雌側帯状基部２２Ａの幅方向の開口部１８側を、袋本体１０の内面にヒートシールしている。
この構成により、袋本体１０の開口部１８の対向する縁を摘んで、開口部１８を広げるように開封する通常の開封方法では、屈曲部２１Ｃの位置で雄側帯状基部２１Ａが屈曲するので、雄側帯状基部２１Ａと雌側帯状基部２２Ａとを剪断させる方向に引っ張り力が作用する。このため、第一雄側爪２１Ｂ１および第一雌側爪２２Ｂ１が強く噛合して、係合部２３の係合が解除されることを防止できる。
したがって、開封するためには特別な開封作業が必要となり、誤開封を防止できる。
【００４７】
そして、上記第一実施形態では、屈曲部２１Ｃを有する雄側帯状基部２１Ａは、幅方向における係合部２３の位置よりも収納空間１０Ｃ側が、さらに袋本体１０の内面にヒートシールされている。すなわち、雄側帯状基部２１Ａおよび雌側帯状基部２２Ａは、それぞれ幅方向の両端側がヒートシールされた四点シールとされている。
このため、例えば、開口された開口部１８の縁を摘んで無理に開封しようとして、大きな開封力である引っ張り力を作用させた場合、薄肉の屈曲部２１Ｃに大きな引っ張り力が作用し、屈曲部２１Ｃが切断されてしまう。したがって、無理に開封しようとした形跡を容易に判明でき、改竄を防止できる。
【００４８】
また、上記第一実施形態では、屈曲部２１Ｃを薄肉としている。
このため、薄肉とする簡単な構造で、屈曲部２１Ｃの位置で雄側帯状基部２１Ａが屈曲する構成が得られる。
【００４９】
さらに、上記第一実施形態では、屈曲部２１Ｃを袋本体１０の内面から離間するように設けている。
このため、袋本体１０の内面に沿ってジッパーテープ２０が融着されていない空隙部分が存在するため、この空隙部分に接する袋本体１０が屈曲しやすくなり、それに伴って、屈曲部２１Ｃも同時に屈曲する。したがって、屈曲部２１Ｃの位置でより小さい力で袋本体１０とともに屈曲する状態が得られる。したがって、開口部１８の縁を持って係合部２３の係合を解除しようとした際、この時の引っ張り力が、雄側帯状基部２１Ａと雌側帯状基部２２Ａとを剪断させる方向に作用しやすくなる。よって、第一雄側爪２１Ｂ１および第一雌側爪２２Ｂ１が強く噛合する状態が得られ、より誤開封を防止できる。
【００５０】
また、上記第一実施形態では、収納空間１０Ｃ側に突出する第一雄側爪２１Ｂ１を断面鉤形状となるように形成し、第一雄側爪２１Ｂ１とは反対側に突出する第二雄側爪２１Ｂ２は断面鉤形状となるように形成している。
このため、開封された袋本体１０の開口部１８の縁を開くように開封する通常の開封方法では、屈曲部２１Ｃで雄側帯状基部２１Ａが屈曲し、雄側帯状基部２１Ａおよび雌側帯状基部２２Ａを剪断させる方向に引っ張り力が作用する。したがって、断面鉤形状の第一雄側爪２１Ｂ１と第一雌側爪２２Ｂ１とが強く噛合して、誤開封を防止できる。
一方、開封する場合には特異な開封方法で開封する。すなわち、雌側帯状基部２２Ａがヒートシールされた袋本体１０の雌側帯状基部２２Ａより収納空間１０Ｃ側と、屈曲部２１Ｃを有する雄側帯状基部２１Ａがヒートシールされた袋本体１０の開口部１８の縁とを摘んで、袋本体１０を広げるように引っ張る。すると、断面山形状の第二雄側爪２１Ｂ２および第二雌側爪２２Ｂ２は、互いに離れて係合が外れる状態となり、容易に係合を解除できる。このように、開封する場合には容易に開封できるとともに、誤開封をより防止できる。
【００５１】
そして、上記第一実施形態では、雄部材２１側に屈曲部２１Ｃを設けている。
ここで、雌部２２Ｂが設けられた雌側帯状基部２２Ａに屈曲部２１Ｃを設けた場合、雄部２１Ｂが設けられた雄側帯状基部２１Ａに設けた場合と逆側にせん断力が働く。このため、開封できるようにするためには、第一雄側爪２１Ｂ１の掛かりを少なくする必要がある。そうすると内圧に対して弱くなるため、屈曲部２１Ｃは雄部材２１側に設けることが好ましい。
【００５２】
［第二実施形態］
次に、本発明の第二実施形態を図面に基づいて説明する。
図７には、第二実施形態におけるジッパーテープ付袋体の開封後の要部断面が示されている。
この第二実施形態では、第一実施形態における係合部の他に、さらに別の係合部としての係合鉤部を設けたものである。
【００５３】
｛ジッパーテープの構成｝
具体的には、雄部材２１は、雄側帯状基部２１Ａと、雄部２１Ｂと、雄側鉤部２１Ｄとを有している。
雄側鉤部２１Ｄは、雄部２１Ｂより収納空間１０Ｃ側に位置して、雄部２１Ｂと平行に設けられている。なお、雄部２１Ｂと雄側鉤部２１Ｄとは、平行に限らない。例えば、互いに波形状に形成されたものなどでは並列状とされていればよい。
そして、雄側鉤部２１Ｄは、収納空間１０Ｃ側に突出する第三雄側爪２１Ｄ１を有している。第三雄側爪２１Ｄ１は、第一雄側爪２１Ｂ１と同様に、雄側帯状基部２１Ａに対向する収納側斜面２１Ｄ３を有し、この収納側斜面２１Ｄ３の接線２１Ｂ８と、雄側帯状基部２１Ａの垂線２１Ｂ５とのなす角γが、９０°より小さい角度の断面鉤形状に形成されている。
【００５４】
雌部材２２は、雌側帯状基部２２Ａと、雌部２２Ｂと、雄側鉤部２１Ｄと係合可能な雌側鉤部２２Ｄとを有している。
雌側鉤部２２Ｄは、第三雄側爪２１Ｄ１が係合可能に、開口部１８側に向けて突出する第三雌側爪２２Ｄ１を有している。
そして、ジッパーテープ２０は、雄側鉤部２１Ｄと雌側鉤部２２Ｄとにより、本発明の係合部としての係合鉤部２４が構成される。
【００５５】
｛ジッパーテープ付袋体の使用｝
次に、上記ジッパーテープ付袋体１の使用状況を説明する。
図８には、開口された縁を持って開封する際の誤開封防止の状況を示す要部断面が示されている。図９には、開口された縁と袋本体の外面とを持って開封する際の開封状況を示す要部断面が示され、（Ａ）は開封力を作用させた状態、（Ｂ）は係合部の係合が解除された状態である。
【００５６】
まず、使用者がジッパーテープ付袋体１から被包装物を最初に取り出すにあっては、図８に示すように、ノッチ１７から基材フィルム１１Ａ，１１Ｂを引き裂いて、トップシール部１４側を切除することで開口部１８が形成されて開封される。
ここで、子供が興味本位で開封したり、改竄目的などで開封したりする場合など、通常の開口部１８の縁を持って、開口部１８を広げて係合部２３の係合を解除しようとした場合、誤開封が防止される。具体的には、図８に示すように、雄側帯状基部２１Ａに設けられた屈曲部２１Ｃが折れ曲がるように広げられように、図８中の矢印で示す方向に引っ張り力が作用する。このため、開封のための引っ張り力は、雄側帯状基部２１Ａと雌側帯状基部２２Ａとの平面に沿って、雄側帯状基部２１Ａと雌側帯状基部２２Ａとを剪断させる方向に力が作用する。したがって、断面鉤形状の第一雄側爪２１Ｂ１および第一雌側爪２２Ｂ１と、第三雄側爪２１Ｄ１および第三雌側爪２２Ｄ１とが互いに噛み合う状態となる。このため、第一雄側爪２１Ｂ１および第一雌側爪２２Ｂ１と、第三雄側爪２１Ｄ１および第三雌側爪２２Ｄ１とが、それぞれ強く係合し合い、誤開封や改竄のための開封が防止される。
このように、化粧品や薬品など、あるいは細かい部品など、幼児や子供から遠ざけておきたい物などが誤開封されて取り出されてしまったり、改竄を目的として開封されてしまったりする誤開封を防止できる。
【００５７】
一方、袋本体１０に予め収納された被包装物Ｐの利用者が被包装物Ｐを取り出すため、あるいは、袋本体１０に被包装物Ｐを新たに収納するため、係合部２３の係合を解除する場合には、特異な開封方法が実施される。すなわち、屈曲部２１Ｃを有しない雌側帯状基部２２Ａがヒートシールされた袋本体１０の外面、具体的には雌側帯状基部２２Ａより収納空間１０Ｃ側の外面と、屈曲部２１Ｃを有する雄側帯状基部２１Ａがヒートシールされた袋本体１０の開口部１８の縁とを摘んで、袋本体１０を広げるように引っ張る。なお、摘む位置としては、例えば袋本体１０に印刷などにより示されていると、利用者は開封作業が容易となる。
この袋本体１０を広げる引っ張り力は、図９（Ａ）中の矢印に示すように作用し、第二雄側爪２１Ｂ２と第二雌側爪２２Ｂ２とが引っ掛かり合う状態となる。さらに、第三雄側爪２１Ｄ１および第三雌側爪２２Ｄ１は、引っ張り力が互いに離れる方向に作用する。この図９（Ａ）に示す状態では、第二雄側爪２１Ｂ２が断面山形状のため、引っ張り力は、第二雄側爪２１Ｂ２が第二雌側爪２２Ｂ２を乗り越えるように作用するとともに、第三雄側爪２１Ｄ１と第三雌側爪２２Ｄ１とが離れる状態となる。よって、比較的に小さい力で係合部２３の係合を解除できる。
そして、被包装物Ｐを取り出しあるいは収納した後は、再び雄部２１Ｂおよび雌部２２Ｂと、雄側鉤部２１Ｄおよび雌側鉤部２２Ｄとを、それぞれ係合させることで袋本体１０は再封止される。
【００５８】
｛第二実施形態の効果｝
上述したように、上記第二実施形態では、ジッパーテープ２０を、係合部２３および係合鉤部２４にて複数条で係合する構成としている。
このため、第一実施形態の効果に加え、雄部材２１および雌部材２２の係合力がより高くなり、より誤開封を防止できる。
【００５９】
また、上記第二実施形態では、係合鉤部２４として、雄側鉤部２１Ｄに収納空間側のみに突出する第三雄側爪２１Ｄ１を設けている。
このため、開封する際には、第三雄側爪２１Ｄ１と第三雌側爪２２Ｄ１とが離れる方向に開封のための引っ張り力が作用することとなる。したがって、誤開封防止のために係合力を増大させた構成でも、開封させる力が大きくなることを抑制しており、容易に開封できる。
【００６０】
［第三実施形態］
次に、本発明の第三実施形態を図面に基づいて説明する。
図１０には、第三実施形態におけるジッパーテープ付袋体の平面が示されている。図１１には、ジッパーテープ付袋体の断面が示されている。
この第三実施形態では、第一実施形態における袋本体１０の外面に把持部を設けたものである。
【００６１】
｛袋本体の構成｝
具体的には、袋本体１０の外面には、雌部材２２が配置される位置より収納空間１０Ｃ側、すなわちボトム側（図１０の下側）に位置して、基材フィルム１１Ｂがたぐり寄せられて舌片状に形成された把持部１６が設けられている。
把持部１６が設けられる位置は、基端にジッパーテープ２０が位置するような隣接する位置関係とするなど、ジッパーテープ２０の近傍が好ましい。
把持部１６の長手方向の両端部（図１の左右方向）は、サイドシール部１２でシールされ、把持部１６はボトムシール部１３側に向けて開放するポケット状に形成されている。
【００６２】
｛ジッパーテープ付袋体の製造｝
次に、上記第三実施形態のジッパーテープ付袋体１を製造する動作として、被包装物Ｐを収納する前のジッパーテープ付袋を製造する動作について、図面を参照して説明する。なお、第一実施形態と同様の三方製袋の製造装置を用いて説明するが、ジッパーテープ付袋を製造するには、種々の方法を採用することができる。
図１２には、把持部の形成状況を説明する説明図が示されている。
なお、図１２については、図面左側が把持部の形成状況の平面図で、図面右側が平面図における各段階での断面図が示されている。具体的には、図１２の（Ａ）はフィルムを送り出した状況、（Ｂ）はフィルムをたぐり寄せている状況、（Ｃ）は把持部に成形している状況、（Ｄ）把持部を形成した状況、（Ｅ）は切断刃でフィルムを切断した状況、（Ｆ）は把持部を有する一対の基材フィルムが切り出された状況である。
【００６３】
製造装置５は、いわゆる三方製袋機を基本構成とするもので、雄部材２１および雌部材２２を、基材フィルム１１Ａ、１１Ｂにそれぞれ接合し、ジッパーテープ付袋１Ａを製袋するものである。
製造装置５は、基材フィルム１１Ａ、１１Ｂを送り出すフィルム供給部５１と、雄部２１Ｂおよび雌部２２Ｂが係合されたジッパーテープ２０を送り出すテープ部材供給機構である一対のテープ供給部５２と、雄部材２１および雌部材２２を基材フィルム１１Ａ，１１Ｂにそれぞれヒートシールし、袋本体１０を製袋してジッパーテープ付袋１Ａを形成させる製袋部５４と、などを備えている。
【００６４】
フィルム供給部５１は、フィルム１１を巻回したフィルム巻取ロール１１１が着脱可能に装着され、フィルム１１を切断刃５１Ａ（図１２参照）で基材フィルム１１Ａ，１１Ｂに切断し、得られた基材フィルム１１Ａ，１１Ｂを送り出す。
フィルム供給部５１には、図１２に示すような把持形成部５１Ｂが設けられている。把持形成部５１Ｂは、フィルム１１の長手方向の一側をたぐり寄せる対をなすローラ５１１と、たぐり寄せたフィルム１１を、所定の位置で所定の長さ寸法で折り返すように重ね合わせるガイドプレート５１２と、ガイドプレート５１２によりフィルム１１が部分的に折り返されて重ね合わされた部分を、例えばヒートシールして舌片状の把持部１６を形成するヒートシールバー５１３と、を備えている。なお、把持部１６の形成に際しては、ヒートシールに限らず、超音波による溶着、接着剤などを用いた接着など、各種方法を利用できる。
基材フィルム１１Ａ，１１Ｂの送り出しは、例えば連続的に一定速度で送り出す構成に限らず、間欠的に送り出す構成とするなど、いずれの送出方法を適用できる。
【００６５】
そして、ジッパーテープ付袋１Ａの製造に際しては、例えば三方製袋の製造装置５を用いて製造され、フィルム１１を供給するフィルム供給工程と、ジッパーテープ２０を供給するテープ供給工程と、雄部材２１と雌部材２２とを、基材フィルム１１Ａ，１１Ｂにそれぞれヒートシールする取付工程と、基材フィルム１１Ａ，１１Ｂからジッパーテープ付袋１Ａを形成させる製袋工程と、などを実施する。
【００６６】
まず、フィルム１１を巻回したフィルム巻取ロール１１１をフィルム供給部５１に装着しておく。
また、雌部材２２と、雄部材２１とを、それぞれ押出成形などによって成形しておく。そして、雌部材２２の雌部２２Ｂと、雄部材２１の雄部２１Ｂとが係合され、一体のジッパーテープ２０としてテープ巻取ロール５２１に巻回し、テープ巻取ロール５２１をテープ供給部５２に装着しておく。
【００６７】
そして、フィルム供給工程では、フィルム巻取ロール１１１から供給されるフィルム１１に、把持形成部５１Ｂにより、把持部１６を形成させる把持形成工程を実施する。
具体的には、図１２（Ａ）の段階で供給されたフィルム１１は、図１２（Ｂ）の段階で把持形成部５１Ｂのローラ５１１により、所定位置でたぐり寄せて部分的に湾曲するように弛ませる。この後、図１２（Ｃ）の段階で、把持形成部５１Ｂのガイドプレート５１２により、弛ませた部分のフィルム１１を、所定の長さで部分的に折り返して重ね合わさるように成形する。そして、図１２（Ｄ）の段階で、フィルム１１の折り返して重ね合わさる部分を、把持形成部５１Ｂのヒートシールバー５１３でヒートシールし、舌片状の把持部１６を形成する。
この把持形成工程の後、図１２（Ｅ）の段階で示すように、切断刃５１Ａにより、フィルム１１の送り出し方向に対して、交差する方向で二等分するようにフィルム１１を切断する。この切断により、図１２（Ｆ）の段階で示すように、把持部１６をそれぞれ有した基材フィルム１１Ａ，１１Ｂが切り出され、下流側に送り出される。
この後、第一実施形態と同様に、テープ供給工程、取付工程および製袋工程が実施され、ジッパーテープ付袋１Ａが製造される。
【００６８】
｛ジッパーテープ付袋体の使用｝
次に、上記ジッパーテープ付袋体１の使用状況を説明する。
図１３には、開口された縁と袋本体の外面とを持って開封する際の開封状況を示す要部断面が示され、（Ａ）は開封力を作用させた状態、（Ｂ）は係合部の係合が解除された状態である。
【００６９】
まず、使用者がジッパーテープ付袋体１から被包装物を最初に取り出すにあっては、図８に示すように、ノッチ１７から基材フィルム１１Ａ，１１Ｂを引き裂いて、トップシール部１４側を切除することで開口部１８が形成されて開封される。
ここで、子供が興味本位で開封したり、改竄目的などで開封したりする場合など、通常の開口部１８の縁を持って、開口部１８を広げて係合部２３の係合を解除しようとした場合、第一実施形態と同様に、誤開封が防止される。すなわち、開封のための引っ張り力は、雄側帯状基部２１Ａと雌側帯状基部２２Ａとの平面に沿って、雄側帯状基部２１Ａと雌側帯状基部２２Ａとを剪断させる方向に力が作用する。そして、断面鉤形状の第一雄側爪２１Ｂ１と第一雌側爪２２Ｂ１とが、互いに噛み合う状態となり、誤開封や改竄のための開封が防止される。
【００７０】
一方、袋本体１０に予め収納された被包装物Ｐの利用者が被包装物Ｐを取り出すため、あるいは、袋本体１０に被包装物Ｐを新たに収納するため、係合部２３の係合を解除する場合には、特異な開封方法が実施される。すなわち、袋本体１０の外面の把持部１６と、屈曲部２１Ｃを有する雄側帯状基部２１Ａがヒートシールされた袋本体１０の開口部１８の縁とを摘んで、袋本体１０を広げるように引っ張る。なお、摘む位置としては、例えば袋本体１０に印刷などにより示されていると、利用者は開封作業が容易となる。
この袋本体１０を広げる引っ張り力は、図１３（Ａ）中の矢印に示すように作用し、第二雄側爪２１Ｂ２と第二雌側爪２２Ｂ２とが引っ掛かり合う状態となる。この図１３（Ａ）に示す状態では、第二雄側爪２１Ｂ２が断面山形状のため、引っ張り力は第二雄側爪２１Ｂ２が第二雌側爪２２Ｂ２を乗り越えるように作用し、比較的に小さい力で係合部２３の係合を解除できる。
そして、被包装物Ｐを取り出しあるいは収納した後は、再び雄部２１Ｂおよび雌部２２Ｂを係合させることで、袋本体１０は再封止される。
【００７１】
｛第三実施形態の効果｝
上述したように、上記第三実施形態では、屈曲部２１Ｃを有しない雌側帯状基部２２Ａが袋本体１０に取り付けられた位置に対して、収納空間１０Ｃ側に位置して把持部１６を設けている。
そして、開封に際しては、屈曲部２１Ｃを有した雄側帯状基部２１Ａがヒートシールされた袋本体１０の開口部１８の縁と、把持部１６とを持って袋本体１０を広げるように引っ張る。このことにより、係合部２３の係合を解除するように引っ張り力が作用することとなるので、係合部２３の係合が容易に解除できる。したがって、第一実施形態の効果に加え、把持部１６を持って引っ張る簡単な作業で、容易に開封できる。
【００７２】
［変形例］
なお、本発明を実施するための最良の構成などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、材質、数量、その他の詳細な構成において、当業者が様々な変形を加えることができるものである。
したがって、上記に開示した材質、層構成などを限定した記載は、本発明の理解を容易にするために例示的に記載したものであり、本発明を限定するものではないから、それらの材質などの限定の一部若しくは全部の限定を外した名称での記載は、本発明に含まれるものである。
【００７３】
そして、雄部２１Ｂとして、断面鉤形状の第一雄側爪２１Ｂ１と断面山形状の第二雄側爪２１Ｂ２と、異なる爪形状としたが、同一形状とした対称形としてもよい。さらに、係合部２３を、係合鉤部２４のように片爪形状としてもよい。
さらに、本発明では、側面部１０Ａおよび底面部１０Ｂを有したガゼット形状に限らず、底面部１０Ｂのみを設けた構成、あるいは底面部１０Ｂを有しないガゼット形状、さらには、側面部１０Ａおよび底面部１０Ｂを有しない構成にも適用できる。
また、ジッパーテープ付袋体１の製袋方法としては、三方製袋の他、四方製袋、ピロー式、回転ドラム式など、各方法を適用できる。
【００７４】
薄肉の屈曲部２１Ｃとしては、例えば図１４に示すように、基材フィルム１１Ａ側のみに段差となるように形成したり、図１５に示すように、雄部２１Ｂが設けられた側のみに段差となるように形成したりしてもよい。
【符号の説明】
【００７５】
１………ジッパーテープ付袋体
１Ａ……ジッパーテープ付袋体としても機能するジッパーテープ付袋
１０………袋本体
１０Ｃ……収納空間
１６………把持部
２０………ジッパーテープ
２１Ａ……帯状基部である雄側帯状基部
２１Ｂ……雄側鉤部としての雄部
２１Ｂ１…第一雄側爪
２１Ｂ２…第二雄側爪
２１Ｂ３…斜面である収納側斜面
２１Ｂ４，２１Ｂ７…接線
２１Ｂ５…垂線
２１Ｂ６…斜面である開口側斜面
２１Ｃ……屈曲部
２２Ａ……帯状基部である雌側帯状基部
２２Ｂ……雌側鉤部としての雌部
２２Ｂ１…第一雌側爪
２２Ｂ２…第二雌側爪
２３………係合部
２４………係合部としての係合鉤部
Ｐ………被包装物
【図１】
2017061337.tif 000003
【図２】
2017061337.tif 000004
【図３】
2017061337.tif 000005
【図４】
2017061337.tif 000006
【図５】
2017061337.tif 000007
【図６】
2017061337.tif 000008
【図７】
2017061337.tif 000009
【図８】
2017061337.tif 000010
【図９】
2017061337.tif 000011
【図１０】
2017061337.tif 000012
【図１１】
2017061337.tif 000013
【図１２】
2017061337.tif 000014
【図１３】
2017061337.tif 000015
【図１４】
2017061337.tif 000016
【図１５】
2017061337.tif 000017